(57)【要約】【課題】シール部材の密封性能が周方向において変化してしまい、周方向の全範囲に亘って略均一な密封性能が得られないという問題があった。【解決手段】第１の嵌合溝を有する上ケース７と、第２の嵌合溝を有する中ケース９と、両ケース間に介在される無端状に連続した十字形シール８０と、を備えている。十字形シールは、第１の嵌合溝７１に嵌合され且つ周方向に連続した第１の突条部８０ａと、第２の嵌合溝７２に嵌合され且つ周方向に連続した第２の突条部８０ｂと、第１のケース及び第２のケース間に介在され且つ周方向に連続した封止部８０ｃと、を有している。第１の突条部８０ａは、第１の嵌合溝に嵌合された状態において弾性変形されて他方の側面を第１の嵌合溝の側面に押圧する弾性突起部８２を有する。第２の突条部８０ｂは、第２の嵌合溝に嵌合された状態において弾性変形されて他方の側面を第２の嵌合溝の側面に押圧する弾性突起部８４を有する。【選択図】図５
2011030963.tif 000002
【特許請求の範囲】
【請求項１】
分離可能に係合される第１のケース及び第２のケースと、
前記第１のケース及び前記第２のケースの互いの開口端面が当接される突合せ部に介在される無端状に連続したシール部材と、を備え、
前記第１のケースの前記開口端面には、平行な一対の内側側面を有する無端状に連続された第１の嵌合溝を設けると共に、
前記第２のケースの前記開口端面には、平行な一対の内側側面を有する無端状に連続された第２の嵌合溝を設け、
前記シール部材は、前記第１の嵌合溝に嵌合され且つ周方向に連続した第１の突条部と、前記第２の嵌合溝に嵌合され且つ周方向に連続した第２の突条部と、前記第１のケース及び前記第２のケース間に介在され且つ周方向に連続した封止部と、を有し、
前記第１の突条部は、前記第１の嵌合溝より小さく且つ平行な一対の外側側面を有するベース部と、前記ベース部の一方の外側側面から側方へ突出するように形成され且つ前記第１の嵌合溝に嵌合された状態において弾性変形されて当該ベース部の他方の外側側面を当該他方の外側側面に相対する当該第１の嵌合溝の内側側面に押圧する弾性突起部と、を有し、
前記第２の突条部は、前記第２の嵌合溝より小さく且つ平行な一対の外側側面を有するベース部と、前記ベース部の一方の外側側面から側方へ突出するように形成され且つ前記第２の嵌合溝に嵌合された状態において弾性変形されて当該ベース部の他方の外側側面を当該他方の外側側面に相対する当該第２の嵌合溝の内側側面に押圧する弾性突起部と、を有する
ことを特徴とする成分測定装置。
【請求項２】
前記弾性突起部は、断面形状が半円形をなしている
ことを特徴とする請求項１記載の成分測定装置。
【請求項３】
前記弾性突起部は、断面形状が矩形をなしている
ことを特徴とする請求項１記載の成分測定装置。
【請求項４】
前記弾性突起部は、断面形状が三角形をなしている
ことを特徴とする請求項１記載の成分測定装置。
【請求項５】
前記成分測定装置は、血液中のブドウ糖濃度を測定する血糖計である
ことを特徴とする請求項１記載の成分測定装置。
【発明の詳細な説明】
【技術分野】
【０００１】
本発明は、例えば、血液中の血糖値のような体液中の所定成分の量や性質等を測定する成分測定装置に関し、特に、筐体等を構成する部材相互の突合せ部におけるシール構造に関する。
【背景技術】
【０００２】
体液中の所定成分を検出し、その所定成分の量や性質等を測定するために、種々の体液成分測定装置が用いられている。このような体液成分測定装置の例としては、例えば、血液中のブドウ糖濃度を測定する血糖計を挙げることができる。
しかし、この血糖計によって測定される血糖測定の課題として、血糖計に血液が付着した場合の交差感染の問題がある。これを解決するために、血糖計には、血糖値を測定した後に、付着した血液等の汚れを容易に清掃できることが望まれている。
【０００３】
一般に、血糖計等の成分測定装置は、成分測定を行うための中心的役割りを果たす測定機構部と、その測定機構部を覆って保護する筐体とから構成されている。筐体は、測定機構部の出し入れ、部品交換等を可能とするために、２つ又は３以上の部品（例えば、上ケースと下ケース）によって構成されており、必要時に、分解・組立が可能とされている。そのため、筐体には、必然的に部品相互間の突合せ部が発生し、その突合せ部に血液等の汚れが付着したり、その汚れが突合せ部から筐体内に入り込むおそれがあった。
【０００４】
そこで、血糖計等の成分測定装置の筐体には、一般的に、パッキンを用いた防水構造が採用されており、水洗い等の清掃作業が容易に行えるようになっている。そのような防水構造は、一般的には、突き合される２つの部品間にパッキンを介在させ、２つの部品でパッキンを押圧して密着させることによって行われている。この場合、パッキンを弾性変形させるために、ある程度大きな締付力を２つの部品に加える必要がある。そのため、筐体の組立のために多数のネジが必要であったり、筐体自体の剛性を十分に大きくする必要があった。
【０００５】
このような問題を解決するものとして、例えば、特許文献１に記載されているようなものがある。特許文献１には、電子機器の筐体の分割面に設けるパッキンの構造に関するものが記載されている。この電子機器の防滴構造は、着脱可能に嵌合される第１のケース及び第２のケースからなる電子機器の筐体に適用されるもので、第１のケースの開口端面に周溝が形成され、その周溝を用いて周状のパッキンが第１のケースと第２のケースの間に介在されている。パッキンは、周溝に係合する第１の凸部と、その第１の凸部から延設されて２つのケース間に挟持される支持部と、第１の凸部と反対側に設けられて第２のケースの開口端面に押圧される第２の凸部とを有している、ことを特徴としている。
【０００６】
この特許文献１に係る電子機器の防滴構造（以下「第１の従来例」という。）によれば、ケースの分割面の溝部に、一対の凸部の間に支持部が張り出した断面略十字形の周状パッキンを設けた構造なので、組立て性が良好であり、安定性に優れ、一般的な筐体の肉厚範囲内で実現可能である、という効果が期待される。
【０００７】
また、特許文献２には、簡易組立式で電磁シールド効果の良好な電波シールド室の側壁のシールド用に用いられるパッキンに関するものが記載されている。この特許文献２に係る組立式電波シールド室のシールド用パッキンは、室の側壁を、複数の矩形ブロック板に形成したパネルで構成し、その各パネルの突き合わせ側部に断面台形状のシール係合溝を有する外枠部材を設置する。この相隣接するパネルの外枠部材間に、対向するシール係合溝に嵌着する断面略十字形状のパッキンにおける室内方向に突出する突条部全面に相隣接する各パネルの内壁面のシールド部材間のシールドを連続させるよう接続する金網シールドを被着したものを介在させて組み付ける、ことを特徴としている。
【０００８】
この特許文献２に係る組立式電波シールド室のシールド用パッキン（以下「第２の従来例」という。）によれば、電波シールド室側壁における各パネル間の継目部分からの電波漏洩を防止し、電波シールド室のシールド効果を向上する、という効果が期待される。
【先行技術文献】
【特許文献】
【０００９】
【特許文献１】特開２００４−１９３４９６号公報
【特許文献２】実開昭６３−１３４５９４号公報
【発明の概要】
【発明が解決しようとする課題】
【００１０】
しかしながら、前述した第１の従来例の場合には、第１のケースの開口端面に設けた周溝の断面形状が四角形をなしていて、その周溝に嵌合されるパッキンの第１の凸部は、その周溝に見合う形状とされて、同程度の大きさで四角形に形成されていた。そのため、第１のケースに対して第２のケースを押圧したとき、第１のケースの周溝に対するパッキンの密封性能が周方向において変化してしまい、密封不良を生じるおそれがある。これにより、例えば、血糖計に血液が付着した場合、突合せ部に血液が入り込み清掃し難くなったり、また、内部に血液や洗浄水が浸入し、血糖計自体が正しく機能しなくなる可能性があるという問題があった。
【００１１】
即ち、成形上のバラツキとして、第１の凸部の形状が周方向において均一でない状態でパッキンが製造されると、押圧されたときに、ある部分では周溝の外側の側壁に第１の凸部が圧接され、他の部分では周溝の内側の側壁に第１の凸部が圧接される状態が発生する。すると、パッキン全体において第１の凸部が、ある部分では周溝の外側の側壁に圧接され、他の部分では周溝の内側の側壁に圧接されるため、全体として第１の凸部が波打った状態になって筐体に装着される。その結果、第１の凸部の中心が周方向に波打った状態になることにより、周方向においてパッキンの密封性能が不均一となり、筐体の突合せ部における密封不良を生じるおそれがあった。
【００１２】
また、第２の従来例の場合には、側部パネルに設けたシール係合溝の断面形状が開口側を広くした台形をなしており、これに係合される十字パッキンの嵌合突部が、シール係合溝の形状に対応させて先細の断面台形に形成されていた。そのため、嵌合突部がシール係合溝から抜け出し易い構造となっており、この十字パッキンで２つの側部パネルの突合せ部間を密封するためには、十分に大きな力で十字パッキンを締付けることが必要となる。その結果、十字パッキンをつぶすために多数のネジ止めが必要であったり、筐体自体の剛性を十分に大きく設定する必要があり、装置全体が大型化するという問題があった。なお、筐体を熱溶着や接着剤等を使用して固定すると、その後の分解修理が困難或いは修理不能になるという問題がある。
【００１３】
解決しようとする問題点は、前述したような従来の技術においては、シール部材の密封性能が周方向において変化してしまい、周方向の全範囲に亘って略均一な密封性能が得られないという問題があった。また、シール部材をつぶすために多数のネジ止めが必要であったり、筐体自体の剛性を十分に大きく設定する必要があり、装置全体が大型化するという点である。
【課題を解決するための手段】
【００１４】
本発明は、分離可能に係合される第１のケース及び第２のケースと、これら第１のケース及び第２のケースの互いの開口端面が当接される突合せ部に介在される無端状に連続したシール部材と、を備えている。第１のケースの開口端面には、平行な一対の内側側面を有する無端状に連続された第１の嵌合溝を設けると共に、第２のケースの開口端面には、平行な一対の内側側面を有する無端状に連続された第２の嵌合溝を設ける。また、シール部材は、第１の嵌合溝に嵌合され且つ周方向に連続した第１の突条部と、第２の嵌合溝に嵌合され且つ周方向に連続した第２の突条部と、第１のケース及び第２のケース間に介在され且つ周方向に連続した封止部と、を有している。第１の突条部は、第１の嵌合溝より小さく且つ平行な一対の外側側面を有するベース部と、そのベース部の一方の外側側面から側方へ突出するように形成され且つ第１の嵌合溝に嵌合された状態において弾性変形されてベース部の他方の外側側面を当該他方の外側側面に相対する第１の嵌合溝の内側側面に押圧する弾性突起部と、を有している。更に、第２の突条部は、第２の嵌合溝より小さく且つ平行な一対の外側側面を有するベース部と、そのベース部の一方の外側側面から側方へ突出するように形成され且つ第２の嵌合溝に嵌合された状態において弾性変形されてベース部の他方の外側側面を当該他方の外側側面に相対する第２の嵌合溝の内側側面に押圧する弾性突起部と、を有することを最も主要な特徴としている。
【発明の効果】
【００１５】
本発明によれば、血糖計等の成分測定装置において、その筐体の突合せ部におけるシール部材による密封性能を、そのシール部材の周方向の全範囲に亘って略均一に設定することができ、装置全体で略均一な密封性能が得られる。また、成分測定装置を、剛性を上げたり、大型化することなく、比較的簡単な構成によって実現することができる。
【図面の簡単な説明】
【００１６】
【図１】本発明の成分測定装置の第１の実施例を示す組立斜視図である。
【図２】図１に示す成分測定装置の平面図である。
【図３】図１に示す成分測定装置の右側面図である。
【図４】図１に示す成分測定装置の正面図である。
【図５】図１に示す成分測定装置の平面側から見た分解斜視図である。
【図６】図１に示す成分測定装置の底面側から見た分解斜視図である。
【図７】図１に示す成分測定装置の採取具装着部及びその近傍の構成部品を分解した斜視図である。
【図８】本発明の成分測定装置の第１の実施例に係る採取具（チップ）を示すもので、図８Ａは斜視図、図８Ｂは背面図、図８Ｃは側面図、図８Ｄは図８ＣのＺ−Ｚ線断面図である。
【図９】本発明の成分測定装置に採取具（チップ）を装着した状態の、図４に示すＹ−Ｙ線断面図である。
【図１０】本発明の成分測定装置の採取具装着部を断面して拡大した採取具（チップ）の離脱動作の説明図である。
【図１１】図１に示す成分測定装置の筐体を断面してシール部材による封止状態を現した説明図である。
【図１２】本発明の成分測定装置の第１の実施例に係るシール部材と第１のケース及び第２のケースとを断面して示した説明図である。
【図１３】図１２に示したシール部材と第１のケース及び第２のケースとの嵌合状態を現した説明図である。
【図１４】本発明の成分測定装置の第２の実施例に係るシール部材と第１のケース及び第２のケースとを断面して示した説明図である。
【図１５】図１４に示したシール部材と第１のケース及び第２のケースとの嵌合状態を現した説明図である。
【図１６】本発明の成分測定装置の他の実施例に係るシール部材を示すもので、図１６Ａは第３の実施例に係るシール部材、図１６Ｂは第４の実施例に係るシール部材、図１６Ｃは第５の実施例に係るシール部材、図１６Ｄは第６の実施例に係るシール部材、図１６Ｅは第７の実施例に係るシール部材、図１６Ｆは第８の実施例に係るシール部材である。
【発明を実施するための形態】
【００１７】
以下、本発明の成分測定装置を実施する形態の例について、図面を参照して説明する。図１〜図１３は、本発明の成分測定装置の第１の実施例に係る血糖計１及びシール部材を示す図である。また、図１４〜図１６は、本発明の成分測定装置の他の実施例に係るシール部材を示す図である。なお、本発明は、この第１の実施例に示した血糖計１に限定されるものではない。
【００１８】
図１〜図６に示す血糖計１は、医師や看護師等が、携帯電話のように手に持って操作するもので、その主な機能は、血液中の血糖値を測定したり、その血糖値の測定に関連する患者の氏名、投与する薬剤の確認や測定データの管理等を行うことができる装置である。この血糖計１は、中空の容器からなる筐体２と、その筐体２に内蔵された電源部３と、血糖値等を測定する測定部４と、入力事項や確認事項、測定結果等を表示する表示部５と、測定部４や表示部５の動作や表示等を制御する制御部６等を備えて構成されている。
【００１９】
図１〜図４に示すように、筐体２は、人が片手で持って操作部の操作ボタンを容易に押圧操作できるように少し細長であって、人に持ち易い胴部１１を有する立体形状とされている。この筐体２は、上下に重ね合わされる上ケース７及び下ケース８と、上下ケース７，８の内部に形成された空間内に収納される中ケース９とによって構成されている。中ケース９は下ケース８の凹部内に収容され、この中ケース９を覆い隠すように上ケース７が下ケース８の上に重ね合わされる構造となっている。そして、上ケース７と下ケース８を重ね合わせた状態で、３つのケース７，８，９が複数個の固定ねじによって組立・分解可能に構成されている。
【００２０】
図１及び図２等に示すように、上ケース７の略中央部には、その表裏面を貫通する略長方形をなす開口窓１５が設けられている。開口窓１５には、これに見合う形状を有するパネルカバー１６が嵌合されている。パネルカバー１６の上面は、これよりも適宜に大きく形成された正面パネル１７によって全面が覆われている。正面パネル１７は、上ケース７の上面の背面側に配置された複数の操作スイッチを有するスイッチ群１８をも覆うことができる大きさとなっている。スイッチ群１８は、スイッチ用配線基板１９を介して中ケース９に収納されており、各操作スイッチの入力部が上ケース７の操作部２０の所定位置に臨むように構成されている。
【００２１】
下ケース８の凹部内には、中ケース９を弾性的に支持するマウント部材４０が設けられている。マウント部材４０としては、例えば、Ｏ−リングを適用することができ、そのＯ−リングで中ケース９の下面を下方から支持している。そのため、下ケース８の凹部内には、マウント部材４０を収容するための略四角形をなす保持溝４１が設けられている。このマウント部材４０で中ケース９の下面周縁を支持することにより、Ｏ−リングを圧縮したときの弾性とシール性を利用して、中ケース９を弾性的に支持している。
【００２２】
図５及び図１１に示すように、中ケース９は、上面に開口された略長方形をなす底の浅い容器状の部材からなり、下ケース８の凹部内に嵌まり合う大きさに形成されている。この中ケース９には、電源部３と表示部５と制御部６等が収納されている。電源部３は、中ケース９の底面部に設けた電池収納部４７に収納される携帯用電源としての二次電池４８を備えている。この二次電池４８の電力により、測定部４や制御部６の動作、或いは表示部５の表示等が制御されるようになっている。この電源部３に用いられる二次電池としては、リチウムイオン電池が好適であるが、その他のニッカド電池やニッケル水素電池等を使用できることは勿論である。
【００２３】
この中ケース９の電源部の上側に制御部６のメイン配線基板２４と表示部３の平面表示パネル２３が配置されている。そして、表示部３の背面側にスイッチ用配線基板１９が配置されている。この筐体２の組立時、中ケース９に収納されている平面表示パネル２３の表示面が、上ケース７に装着されているパネルカバー１６の内側に対向される。平面表示パネル２３としては、例えば、液晶パネルが好適であるが、有機ＥＬパネルやその他の表示パネルを用いることができることは勿論である。
【００２４】
メイン配線基板２４には、所定形状に形成された電気回路が印刷配線等によって設けられている。そして、メイン配線基板２４には、予め設定された所定の機能を実行するためのマイクロコンピュータ、予め所定のプログラムが記憶されたＲＯＭやＲＡＭ等の記憶装置、コンデンサや抵抗その他の電子部品が実装されている。このメイン配線基板２４の上面に、図示しないスペーサを介して平面表示パネル２３が取り付けられている。
【００２５】
スイッチ用配線基板１９の下方には、バーコードユニット５８が配設されている。このバーコードユニット５８は、患者や看護師等の識別タグのバーコードをスキャンして、患者や使用者の情報を読み込む装置である。このバーコードユニット５８が、下ケース８の背面に設けた切欠き部２７に受発光部を臨ませた状態で、筐体２に取り付けられている。
【００２６】
図５及び図６に示すように、第１のケースの一具体例を示す上ケース７の周縁部７ａの開口端面には、断面形状が四角形をなすと共にその断面形状が周方向に連続する無端状に連続された第１の嵌合溝７１が設けられている。なお、第１の嵌合溝７１の一対の内側側面は平行となるように形成されている。この第１の嵌合溝７１に対応させて、第２のケースの一具体例を示す中ケース９の側面部９ａの開口端面には、同じく断面形状が四角形をなすと共にその断面形状が周方向に連続する無端状に連続された第２の嵌合溝７２が設けられている。第２の嵌合溝７２の一対の内側側面は平行となるように形成されている。そして、これら第１の嵌合溝７１と第２の嵌合溝７２を用いて、上ケース７の開口端面と中ケース９の開口端面との間に、シール部材の第１の具体例を示す十字形シール８０が介在されている。
【００２７】
十字形シール８０は、図１２に示すような形状を有している。即ち、十字形シール８０は、断面形状が十字形状をなしており、その断面形状が周方向に連続されて、全体として無端状に連続された略長方形をなすシール部材として形成されている。十字形シール８０の４つの角部に形成されたクランク状の変形部は、筐体２を固定する固定ねじを避けるために設けたものである。
【００２８】
この十字形シール８０は、第１の嵌合溝７１に嵌合される第１の突条部８０ａと、第２の嵌合溝７２に嵌合される第２の突条部８０ｂと、上ケース７の周縁部７ａと中ケース９の側面部９ａとの間に挟持される内外の封止部８０ｃ，８０ｄとを有している。第１の突条部８０ａの反対側に第２の突条部８０ｂが設けられている。そして、両突条部８０ａ、８０ｂの長手方向の中間部において、その長手方向と直交する方向の一側に第１の封止部８０ｃが設けられ、この第１の封止部８０ｃの反対側に第２の封止部８０ｄが設けられている。
【００２９】
第１の突条部８０ａは、第１の嵌合溝７１よりも小さい断面四角形で平行な一対の外側側面を有するベース部８１と、そのベース部８１の第１の封止部８０ｃ側の外側側面から側方へ突出するように形成された２つの断面形状が半円形をなす弾性突起部８２とを有している。ベース部８１の高さＪ１は、第１の嵌合溝７１の深さＨ１よりも少し小さく形成し（Ｊ１＜Ｈ１）、また、ベース部８１の幅Ｌ１は、第１の嵌合溝７１の幅Ｋ１よりも少し小さく形成している（Ｌ１＜Ｋ１）。一方、ベース部８１の一方の外側側面から弾性突起部８２の頂上部までの幅Ｍ１は、第１の嵌合溝７１の幅Ｋ１よりも少し大きく形成している（Ｍ１＞Ｋ１）。
【００３０】
第２の突条部８０ｂは、第２の嵌合溝７２よりも小さい断面四角形で平行な一対の外側側面を有するベース部８３と、そのベース部８３の第１の封止部８０ｃ側の外側側面から側方へ突出するように形成された２つの断面形状が半円形をなす弾性突起部８４とを有している。ベース部８３の高さＪ２は、第２の嵌合溝７２の深さＨ２よりも少し小さく形成し（Ｊ２＜Ｈ２）、また、ベース部８３の幅Ｌ２は、第２の嵌合溝７２の幅Ｋ２よりも少し小さく形成している（Ｌ２＜Ｋ２）。一方、ベース部８３の一方の外側側面から弾性突起部８４の頂上部までの幅Ｍ２は、第２の嵌合溝７２の幅Ｋ２よりも少し大きく形成している（Ｍ２＞Ｋ２）。
【００３１】
なお、この説明では、第１の嵌合溝７１と第２の嵌合溝７２の寸法を異ならせ、これに対応させて第１の突条部８０ａと第２の突条部８０ｂの寸法を異ならせた場合について説明したが、第１の嵌合溝７１と第２の嵌合溝７２の寸法を一致させ、第１の突条部８０ａと第２の突条部８０ｂの寸法を一致させる構成としてもよいことは勿論である。通常、これらの寸法は、互いに一致させて構成するのが一般的であるが、その寸法を異ならせて設定することは自由である。
【００３２】
また、十字形シール８０の第１の封止部８０ｃの先端面から第２の封止部８０ｄの先端面までの長さは、中ケース９の側面部９ａにおける肉厚と同じ長さに設定している。そして、上ケース７の周縁部７ａには、筐体２を組み合わせたときに、第１の突条部８０ａの外側を覆うように上ケース７の側面部８５が設けられている。更に、この側面部８５に対応させて下ケース８には、上ケース７の側面部８５を覆う下ケース８の側面部８６が設けられている。これらの側面部８５，８６は、第１及び第２の嵌合溝７１，７２に沿って平行をなすように設けられている。
また、第１の嵌合溝７１及び第２の嵌合溝７２の一対の内側側面、並びに、ベース部８１及びベース部８３の一対の外側側面は平行であることが好ましいが、ここで言う「平行」とは、成形時に金型から抜くために設けられた僅かなテーパ形状をも包含し得るものである。
【００３３】
この十字形シール８０を用いることにより、上ケース７と中ケース９の間のシール性を十分に高めることができる。これにより、血糖計１の防水性を向上させて、電源部３、表示部５、制御部６等が血液や水等によって汚されるのを効果的に防ぐことができる。なお、十字形シール８０の材質としては、例えば、ニトリルゴム、シリコンゴム、アクリルゴムその他各種のシール用材料を用いることができる。
【００３４】
図１〜図４に示すように、筐体２の長手方向の一側は、下ケース８側に少し湾曲した先細の湾曲部２８として形成されており、その先端に開口部２９が設けられている。湾曲部２８は、上ケース７に設けた内向きのコ字状部分からなる上湾曲部２８ａと、下ケース８に設けた外向きのコ字状部分からなる下湾曲部２８ｂとの組み合わせからなり、上湾曲部２８ａと下湾曲部２８ｂを重ね合わせることにより、全体として下ケース８側に湾曲された湾曲部２８が形成されている。従って、湾曲部２８の先端に設定された開口部２９は、筐体２の中心を通る部分よりも下ケース８側に若干傾いた位置において斜め下方へ向けて開口されている。
【００３５】
この筐体２の開口部２９に測定部４が配設されている。筐体２の開口部２９には、リング筐体３１が固定されている。リング筐体３１は、筐体２に固定するための固定部３１ａと、この固定部３１ａに連続して一体に形成された筒軸部３１ｂとを有している。図５に示すように、固定部３１ａは、開口部２９を閉じるように内側に展開された端面部３１ｃを有しており、その端面部３１ｃの略中央部に、直径を少し小さくした円筒状の筒軸部３１ｂが外側へ突出するように形成されている。更に、固定部３１ａには、リング筐体３１を筐体２に固定するための複数の係合爪（本実施例では上下の２箇所）４５が設けられている。これに対応して、筐体２の開口部２９の上下２箇所には、爪受部２９ａが設けられている。
【００３６】
この筐体２の開口部２９内に、検体の一具体例を示す血液の成分を測定する測定部４が配設されている。図７〜図１０に示すように、測定部４は、測光ブロック３３と、イジェクト部材３５と、イジェクト操作子３６と、内リング３７等を備えて構成されている。測光ブロック３３は、採血した血液から血糖値を光学的に測定する装置である。この測光ブロック３３は、血液検体の呈色濃度と赤血球の赤色濃度とを測定し、呈色濃度から得られるグルコース値を赤色濃度から得られるヘマトクリット値を用いて補正しつつグルコース濃度を定量して、血糖値を測定することができるものである。この測光ブロック３３が、筐体２に支持固定されている。
【００３７】
図７及び図１０に示すように、測光ブロック３３は、平板状のベース部３３ａと、このベース部３３ａの前側に２段構造で形成された円形の軸部３３ｂ、３３ｃとを有している。ベース部３３ａに連続して直径の大きな第１の軸部３３ｂが設けられ、この第１の軸部３３ｂに連続して直径の小さな第２の軸部３３ｃが設けられている。この測光ブロック３３の第２の軸部３３ｃには、二種類の波長の光を一つの試験紙に照射するための照射口３８が開口されている。この測光ブロック３３は、リング筐体３１の内側に挿入され、その筒軸部３１ｂの内側に２つの軸部３３ｂ、３３ｃが同心上に配置されている。
【００３８】
また、筒軸部３１ｂの内側には内リング３７が配置されていて、その内リング３７の背面側に第２の軸部３３ｃが対向設置されている。内リング３７は、貫通穴４１が中央に設けられた円筒部３７ａと、この円筒部３７ａの一方の端面側に連続して半径方向外側へ展開するように設けられたフランジ部３７ｂとを有している。フランジ部３７ｂは、リング筐体３１の筒軸部３１ｂの内側に嵌合されており、このフランジ部３７ｂを介して内リング３７がリング筐体３１に固定されている。
【００３９】
このとき、円筒部３７ａは、リング筐体３１の筒軸部３１ｂの内側において同一軸心線上に配置されている。その結果、リング筐体３１の固定部３１ａと内リング３７の円筒部３７ａとの間には、リング状をなす空間部が形成されている。このリング状をなす空間部を、後述するイジェクト部材３５の枠体部６１が長手方向に摺動する。そして、リング筐体３１と内リング３７とにより、採取具（チップ）５０を着脱可能に支持することができる採取具装着部４３が構成されている。ここで、リング筐体３１の筒軸部３１ｂは、採取具５０を嵌合固定する採取具保持部として機能し、内リング３７は、採取具５０が当接することによって、試験紙５７と測定ブロック３３との距離を一定にするための採取具位置決め部を構成している。
【００４０】
採取具５０は、図８Ａ〜図８Ｄに示すような構成を有している。即ち、採取具５０は、円板状に形成されたベース部５１と、このベース部５１の一方の面に形成されたノズル部５２と、ベース部５１の他方の面に形成された円筒部５３とからなっている。ベース部５１の外径は、筒軸部３１ｂの外径と略同じ寸法に形成されている。また、ノズル部５２は、ベース部５１の中央に立設されており、その中心部には軸方向へ貫通する採取孔５４が設けられている。ノズル部５２の先端部は先細に形成されていて、その先端面には検体を吸引し易くするための凹溝５２ａが設けられている。
【００４１】
採取具５０の円筒部５３は、採取具装着部４３の空間部に見合う大きさに形成されていて、その外径は、筒軸部３１ｂの穴に嵌まり合うことができる大きさであり、その内径は、円筒部３７ａを覆う大きさである。更に、円筒部５３の先端部には、弾性片からなる複数の係合爪（本実施例では４個）５５が設けられており、この係合爪５５が着脱可能に係合される突条３２が筒軸部３１ｂの内周面に設けられている。この係合爪５５を、筒軸部３１ｂの内周面に接触させ、押し込んで係合爪５５が突条３２を乗り越えることにより、筒軸部３１ｂ（採取具保持部）による採取具５０の保持力を高めて外れ難くすることができる。本実施例の係合爪５５は、周方向に連続する円弧状の凸部として形成されており、その外周面には、摩擦抵抗を高めるための山形凸部５５ａが設けられている。
【００４２】
この採取具５０の円筒部５３の内側には、採取孔５４に連通された試験紙収納部５６が設けられている。この試験紙収納部５６には、血液を採取して所定量の血液を保持する試験紙５７が収納されている。この試験紙に保持された血液に、測光ブロック３３から照射される所定の光を照射することにより、血液中の成分を測定することができる。また、採取具５０の円筒部５３の内面は段差を有しており、この段差に内リング３７の端部が当接することにより、採取具５０の測光ブロック３３への正確な位置決めがなされる。即ち、内リング３７は、採取具位置決め部として機能する。
【００４３】
採取具装着部４３に装着された採取具５０を離脱させるためにイジェクト部材３５が設けられている。イジェクト部材３５は、図７に示すような構成を有している。即ち、イジェクト部材３５は、採取具５０に直接接触して押し出す枠体部６１と、この枠体部６１が固定されると共に所定距離だけ摺動動作される摺動プレート６２とからなっている。枠体部６１は、円弧状に湾曲させた２枚の円弧片６１ａ，６１ａを左右方向に対向させることによって構成されている。この枠体部６１は、測光ブロック３３の第１の円形軸部３３ｂに移動可能に装着され、その円形軸部３３ｂの外側を軸方向へ所定距離だけ進退移動される。
【００４４】
イジェクト部材３５の摺動プレート６２は、長手方向の中途部を９０度に折り曲げたような形状をなしており、その折り曲げ部の一側に固定部６２ａが設けられ、その折り曲げ部の他側に連結部６２ｂが設けられている。固定部６２ａは、枠体部６１を構成する一対の円弧板６１ａ，６１ａに対応する大きさを有するＵ字形状の部材として形成されている。そして、固定部６２ａの一面において連結部６２ｂと反対側へ突出するように、一対の円弧板６１ａ，６１ａが立設されている。連結部６２ｂの略中央部には、イジェクト操作子３６と連結するための挿通穴６３が設けられている。
【００４５】
イジェクト操作子３６は、図１０に示すような状態でイジェクト部材３５に固定されている。イジェクト操作子３６は、上ケース７の湾曲部２８における凸側の外部に露出されるように設けられている。そのため、上ケース７には、図５に示すように、イジェクト操作子３６の移動を許容するための長穴６５が設けられている。長穴６５は、筐体２の前後方向へ所定の長さだけ直線的に延在されて設けられており、イジェクト操作子３６の脚部３６ａが摺動可能に係合されている。
【００４６】
図１０に示すように、イジェクト操作子３６の裏面にはねじ穴が設けられており、摺動プレート６２の挿通穴６３に挿通される固定ねじ６６により締め付けられてイジェクト部材３５に固定されている。固定ねじ６６には、リング状のスペーサ６７が装着されていて、このスペーサ６７と摺動プレート６２の間には圧縮コイルばね６８が介在されている。また、イジェクト部材３５は、図７に示す引張コイルばね６９により引っ張られて、内リング３７から離れる後方へ常に付勢されている。引張コイルばね６９の一端は摺動プレート６２に設けたばね受け穴６３ｂに掛け止められ、その他端は筐体２のばね受け部に掛け止められている。
【００４７】
図５に示す符号７０は採取具ケースである。この採取具ケース７０は、予め採取具５０が収納され、開口部がフィルム等で封止されて乾燥状態が保たれている。採取具ケース７０は、採取具装着部４３に対して採取具５０を装着したり、排出したりする場合に使用される。開口部のフィルムを剥がし、採取具５０が収納された状態で採取具ケース７０を採取具装着部４３に被せることにより、嵌合力の差によって自動的に採取具５０を採取具装着部４３に装着することができる。
【００４８】
即ち、採取具収納部に採取具５０が収納されている採取具ケース７０を採取具装着部４３に被せ、その採取具ケース７０を所定深さまで押し込む。これにより、採取具５０の円筒部５３がリング状に開口された筒軸部３１ｂに差し込まれ、円筒部５３の先端に設けた４つの係合爪５５が、リング筐体３１の筒軸部３１ｂの内面と内リング３７の円筒部３７ａの外面との間に入り込む。この筒軸部３１ｂと円筒部５３との間に発生する保持力により、採取具５０が採取具装着部４３に保持されて固定される。採取具５０の採取具ケース７０への取り付け力（嵌合力）は弱いので、採取具ケース７０を引っ張れば、採取具５０が採取具装着部４３に保持されたまま、採取具ケース７０が採取具５０から分離される。これにより、採取具５０の取付作業が完了し、この状態において、検体である血液中の血糖値等の測定が可能となる。
【００４９】
図１、図２に示す符号７５はスキャンボタンである。このスキャンボタン７５は、バーコードユニット５８を用いてバーコード情報をスキャニングするためのオン・オフスイッチである。
前述した上ケース７、下ケース８、中ケース９、リング筐体３１の材質としては、例えば、ＡＢＳ樹脂（アクリロニトリル・ブタジエン・スチレン樹脂）を用いることができる。しかしながら、ある程度の強度及び耐久性を有する各種のエンジニアリングプラスチックを用いることができる。
【００５０】
このような構成を有する血糖計１は、例えば、次のようにして組み立てることができる。この組立手順は、血糖計１を組み立てるための一実施例を示すものであり、本発明は、この組立手順に限定されるものではないことは勿論である。
【００５１】
まず、中ケース９の凹部内に電源部３と表示部５と制御部６を収容し、必要な箇所をねじ止めして固定する。次に、中ケース９の長手方向の一端である前面に測定部４の測光ブロック３３を取り付ける。次に、下ケース８の凹部内に設けた保持溝４１にマウント部材４０を装着する。そして、下ケース８の凹部内に中ケース８を収容する。
【００５２】
次に、中ケース９の開口端面に設けた無端状に連続する第２の嵌合溝７２に、同じく無端状に連続して形成された十字形シール８０の第２の突条部８０ｂを嵌め込む。このとき、図１２に示すように、第２の嵌合溝７２の開口側の両縁には、その全周に亘って連続する比較的大きな面取り部を設け、更に、第２の突条部８０ｂのベース部８３を第２の嵌合溝７２より少し小さく形成している（Ｌ２＜Ｋ２）。そのため、第２の突条部８０ｂが第２の嵌合溝７２内に入り込むための抵抗となる部分は、第２の突条部８０ｂに設けた弾性突起部８４のみである（Ｍ２＞Ｋ２）。従って、第２の突条部８０ｂを第２の嵌合溝７２に嵌め込む力は比較的小さくてすみ、第２の嵌合溝７２に対して第２の突条部８０ｂを、その全長に亘って容易に嵌め込むことができる。
【００５３】
次に、第２の嵌合溝７２に十字形シール８０が装着されている中ケース９を保持している下ケース８の上に上ケース７を重ね合わせ、上ケース７を下ケース８側に押し付ける。このとき、図１２に示すように、上ケース７の開口端面に設けた無端状に連続する第１の嵌合溝７１の両縁には、その全周に亘って連続する比較的大きな面取り部を設け、更に、第１の突条部８０ａのベース部８１の幅を第１の嵌合溝７１の幅より少し小さく形成している（Ｌ１＜Ｋ１）。そのため、第１の突条部８０ａが第１の嵌合溝７１内に入り込むための抵抗となる部分は、第１の突条部８０ａに設けた弾性突起部８２のみである（Ｍ１＞Ｋ１）。従って、第１の突条部８０ａを第１の嵌合溝７１に嵌め込む力は比較的小さくてすみ、第１の嵌合溝７１に対して第１の突条部８０ａを、その全長に亘って容易に嵌め込むことができる。
【００５４】
これにより、図１７に示す状態となり、十字形シール８０が上ケース７の開口端面と中ケース９の開口端面との間に介在される。これにより、十字形シール８０の第１の突条部８０ａが第１の嵌合溝７１に嵌合され、第２の突条部８０ｂが第２の嵌合溝７２に嵌合されると共に、側方に突出する内外の封止部８０ｃ，８０ｄが上ケース７の開口端面と中ケース９の開口端面とによって挟持される。このとき、第１の突条部８０ａの高さＪ１は第１の嵌合溝７１の深さＨ１より小さいため、ベース部８１の先端面が第１の嵌合溝７１の底面に当接することがなく、その先端面に反力は作用しない。同様に、第２の突条部８０ｂの高さＪ２は第２の嵌合溝７２の深さＨ２より小さいため、ベース部８３の先端面が第２の嵌合溝７２の底面に当接することがなく、その先端面に反力は作用しない。
【００５５】
一方、第１の嵌合溝７１に嵌合された第１の突条部８０ａは、第１の嵌合溝７１の幅Ｋ１よりも第１の突条部８０ａの幅Ｍ１が大であるため、弾性変形を最も生じ易い弾性突起部８２に応力が集中して発生する。この第１の嵌合溝７１の一方の側壁から弾性突起部８２に作用する反力Ｒ１により、ベース部８１の弾性突起部８２と反対側の面が、第１の嵌合溝７１の他方の側壁に圧力Ｆ１によって押し付けられる。同様に、第２の嵌合溝７２に嵌合された第２の突条部８０ｂは、第２の嵌合溝７２の幅Ｋ２よりも第２の突条部８０ｂの幅Ｍ２が大であるため、弾性変形を最も生じ易い弾性突起部８４に応力が集中して発生する。この第２の嵌合溝７２の一方の側壁から弾性突起部８４に作用する反力Ｒ２により、ベース部８３の弾性突起部８４と反対側の面が、第２の嵌合溝７２の他方の側壁に圧力Ｆ２によって押し付けられる。
【００５６】
このような第１の嵌合溝７１と第１の突条部８０ａとの間の嵌合状態，及び、第２の嵌合溝７２と第２の突条部８０ｂとの間の嵌合状態は、十字形シール８０の長手方向の全範囲に亘って同様に作用している。そのため、十字形シール８０の第１の突条部８０ａの弾性突起部８２と反対側の側面の全面が第１の嵌合溝７１の内側側面に圧接され、第２の突条部８０ｂの弾性突起部８４と反対側の側面の全面が第２の嵌合溝７２の内側側面に圧接される。これにより、十字形シール８０の第１の突条部８０ａ及び第２の突条部８０ｂが、それぞれ波打つことなく略直線状に延在される。従って、十字形シール８０の全周に亘って均一なシール性を確保することができ、十字形シール８０の全長に亘る密閉性のムラを無くすことができる。
【００５７】
これと同時に、十字形シール８０の内外の封止部８０ｃ、８０ｄには、上側からは上ケース７の開口端面が圧接され、下側からは中ケース９の開口端面が圧接される。そのため、これらの接合面から水やホコリ等が内部に入り込むのを確実に防止することができ、十分な密封性能を果たすことができる。
【００５８】
図１４及び図１５には、本発明に係るシール部材の第２の実施例を示す。この実施例で示すシール部材は、断面形状をＴ字形に形成したものである。このＴ字形シール９０は、前記実施例に示した十字形シール８０における第２の封止部８０ｄを廃止したもので、その他の構成は同様である。即ち、Ｔ字形シール９０は、第１の突条部８０ａと第２の突条部８０ｂと封止部８０ｃとによって構成されている。なお、第２の封止部８０ｄを廃止したことに伴って、上ケース７の第１の嵌合溝７１の一方の側縁を延長させると共に、中ケース９の第２の嵌合溝７２の一方の側縁も延長させ、それらの先端面が互いに接触し得るように構成している。このような構成とすることによっても、前記実施例と同様の効果を得ることができる。
【００５９】
図１６Ａ〜１６Ｆには、本発明に係るシール部材のその他の実施例を示す。図１６Ａに示すシール部材９１は、前記第１の実施例として示した十字形シール８０の弾性突起部８２，８４の形状を、断面長方形の突起形状をなす弾性突起部９１ａ，９１ｂとして形成したものである。図１６Ｂに示すシール部材９２は、弾性突起部８２，８４の形状を、断面台形の突起形状をなす弾性突起部９２ａ，９２ｂとして形成したものである。更に、図１６Ｃに示すシール部材９３は、弾性突起部８２，８４の形状を、断面円弧形の突起形状をなす弾性突起部９３ａ，９３ｂとして形成したものである。
【００６０】
また、図１６Ｄに示すシール部材９４は、前記第２の実施例として示したＴ字形シール９０の弾性突起部８２，８４の形状を、断面長方形の突起形状をなす弾性突起部９４ａ，９４ｂとして形成したものである。図１６Ｅに示すシール部材９５は、弾性突起部８２，８４の形状を、断面台形の突起形状をなす弾性突起部９５ａ，９５ｂとして形成したものである。更に、図１６Ｆに示すシール部材９６は、弾性突起部８２，８４の形状を、断面円弧形の突起形状をなす弾性突起部９６ａ，９６ｂとして形成したものである。これらの実施例に示すような形状に弾性突起部を形成することによっても、前記実施例と同様の効果を得ることができる。
【００６１】
この実施例で示した血糖計１は、例えば、次のようにして使用することができる。血液の採取は、まず、指先を専用の穿刺器具で穿刺し、その穿刺部から皮膚上に少量（例えば、０．３〜１．５μＬ程度）の血液を流出させる。この指先に盛り上がった少量の血液に、血糖計１の先端に装着されている採取具５０のノズル部５２の先端を当接させる。これにより、指先の血液は、凹溝５２ａを経て採取孔５４内に入り込み、毛細管現象により吸引されて内側に流れ、円筒部５３内に収容されている試験紙５７の中央部に到達する。この試験紙５７に到達した血液は、その表面から内部に染み込み、半径方向外側へ向かって放射状に広がって行く。
【００６２】
この血液の展開と同時に、血液中のブドウ糖と試験紙５７に担持されている試薬とが反応を開始し、ブドウ糖の量に応じて呈色する。この呈色した試験紙５７の色を測定（測色）し、呈色の強度（濃淡）を測定することにより、血糖値を求めることができる。
【００６３】
測定終了後、採取具５０を採取具装着部４３から排出する場合には、例えば、胴部１１を握って親指をイジェクト操作子３６の窪みに合わせ、そのイジェクト操作子３６を前側に押圧してイジェクト部材３５を前方にスライドさせるだけでよい。このとき、図９に示す状態から、イジェクト操作子３６を前方に押圧すると、これと一体のスライド部材３５が同じ距離だけ移動される。その結果、イジェクト部材３５の先端に設けた一対の枠体部６１の先端が採取具５０の係合爪５５の端部を前方に押圧し、採取具５０を採取具装着部４３から離脱させる。これにより、所定の廃棄容器に採取具５０を廃棄することができる。
【００６４】
この場合、血糖計１を操作する作業者は、血糖計１を片手で持った状態において、片手操作によって採取具５０を血糖計１から容易に分離させ、廃棄することができる。しかも、筐体２には湾曲部２８が設けられ、その湾曲部２８の凸側にイジェクト操作子３６が配置され、湾曲部２８の先端に採取具装着部４３が配置されているため、イジェクト操作子３６の移動する方向に採取具５０が放出される。そのため、所望の空間部に放出方向の狙いを定めることができると共に、その空間部に採取具５０を簡単且つ確実に放出させることができる。従って、採取具５０に手を触れることなく、その採取具５０の廃棄処理を安全性を保持して簡単且つ迅速に行うことができる。
【００６５】
また、採取具ケース７０を用いて採取具５０の廃棄処理を行うこともできる。この場合には、まず、採取具収納部が空になっている採取具ケース７０を採取具装着部４３に装着された採取具５０に被せる。この状態で、イジェクト操作子３６を押圧し、イジェクト部材３５を前側に摺動させる。これにより、前述したようにして採取具５０が前側に押し出され、採取具ケース７０に収納された状態で採取具装着部４３から離脱される。これにより、作業者が採取具５０に手を触れることなく、その採取具５０の廃棄処理を安全に、しかも簡単且つ迅速に行うことができる。
【００６６】
本発明によれば、シール部材を十字形又はＴ字形に形成すると共に、対向する２片となっている２つの突条部の一方の側面に長手方向に連続する弾性突起部を設ける構成とした。そのため、これら突条部を嵌合溝に嵌め合わせると、弾性突起部が弾性変形し、このとき嵌合溝の一方の側面から受ける反力により、突条部の反対側の面が嵌合溝の他方の側面に圧接される。これにより、シール部材の一方の面の全体が嵌合溝の一方の側面に圧接されるため、シール部材の長さ方向の全長に亘って密封性能を略均一に設定することができ、防水性を高めて洗浄時等における水の筐体内への入り込みを確実に防ぐことができる。しかも、２つのケースを重ね合わせるために大きな荷重を必要とすることがなく、また、一度組み立てると、シール自体が有する保持力によって筐体が分離するのを抑制することができる。
【００６７】
以上説明したが、本発明の成分測定装置は、前述した実施の形態に限定されるものではなく、構成や形状、材料等において、本発明の構成を逸脱しない範囲において種々の変形、変更が可能であることはいうまでもない。
【００６８】
なお、前記実施例では、体液として血液を挙げて説明したが、これに限定されるものではなく、例えば、リンパ液、髄液、唾液等であってもよい。更に、体液（血液）中の測定目的とする成分として、ブドウ糖（血糖値）を挙げて説明したが、これに限定されるものではなく、例えば、コレステロール、尿酸、クレアチニン、乳酸、ヘモグロビン（潜血）、各種アルコール類、各種糖類、各種タンパク質、各種ビタミン類、ナトリウム等の各種無機イオン、ＰＣＢやダイオキシン等の環境ホルモンであってもよい。更にまた、前記実施例では、所定成分の量を測定するものとして説明したが、所定成分の性質を測定するものであってもよく、また、所定成分の量及び性質の双方を測定するものであってもよい。
【００６９】
また、前記実施例においては、上ケースを第１のケースとし、中ケースを第２のケースとして説明したが、上ケースを第１のケースとし且つ下ケースを第２のケースとして、これらのケース間にシール部材を介在させる構成とすることもできる。
【符号の説明】
【００７０】
１・・血糖計（成分測定装置）、  ２・・筐体、  ３・・電源部、  ４・・測定部、  ７・・上ケース（第１のケース）、  ８・・下ケース、  ９・・中ケース（第２のケース）、  ７１・・第１の嵌合溝、  ７２・・第２の嵌合溝、  ８０・・十字形シール（シール部材）、  ８０ａ・・第１の突条部、  ８０ｂ・・第２の突条部、  ８０ｃ，８０ｄ・・封止部、  ８１，８３・・ベース部、  ８２，８４・・弾性突起部、  ９０・・Ｔ字形シール（シール部材）、  ９１，９２，９３，９４，９５，９６・・シール部材、  ９１ａ，９１ｂ，９２ａ，９２ｂ，９３ａ，９３ｂ，９４ａ，９４ｂ，９５ａ，９５ｂ，０６ａ，９６ｂ・・弾性突起部
【図１】
2011030963.tif 000003
【図２】
2011030963.tif 000004
【図３】
2011030963.tif 000005
【図４】
2011030963.tif 000006
【図５】
2011030963.tif 000007
【図６】
2011030963.tif 000008
【図７】
2011030963.tif 000009
【図８】
2011030963.tif 000010
【図９】
2011030963.tif 000011
【図１０】
2011030963.tif 000012
【図１１】
2011030963.tif 000013
【図１２】
2011030963.tif 000014
【図１３】
2011030963.tif 000015
【図１４】
2011030963.tif 000016
【図１５】
2011030963.tif 000017
【図１６】
2011030963.tif 000018